(57)【要約】【課題】無線ネットワークによってサービスを提供されている無線デバイスの位置についての情報を使用して無線ネットワークの動作効率を向上させるための技術を提供すること。【解決手段】異種無線通信ネットワークが、マクロセル基地局及び１以上の低電力ノードを含む。無線デバイスの位置が、参照信号のダウンリンクの送信に応答して無線デバイスから受信されるフィードバックレポートに基づいて推定される。推定された位置に基づいて、無線デバイスへの参照信号の将来の送信に関するスケジュールが決定される。スケジュールは、参照信号の送信の頻度を指定する。スケジュールは、参照信号の送信のために使用されるべきダウンリンクの送信アンテナ構成を指定する。【選択図】図１
2014138424.tif 000002
【特許請求の範囲】
【請求項１】
マクロセル基地局及び１以上の低電力ノード（ＬＰＮ）を含む異種無線ネットワークにおいて無線デバイスへの信号送信のためのアンテナ構成を選択する方法であって、
前記無線デバイスの位置を推定することと、
前記無線デバイスの推定された位置に基づいて、前記無線デバイスへのダウンリンクの信号送信のための前記アンテナ構成を決定することとを含み、
前記アンテナ構成が、前記マクロセル基地局及び前記１以上のＬＰＮの１以上の送信ポイントを指定する、方法。
【請求項２】
前記推定する動作が、
前記無線デバイスに参照信号を送信することと、
前記参照信号に関連する、前記無線デバイスからのフィードバックレポートを受信することと
を含む、請求項１に記載の方法。
【請求項３】
前記決定されたアンテナ構成を使用して前記参照信号を送信することをさらに含む請求項２に記載の方法。
【請求項４】
前記参照信号が、前記マクロセル基地局及び前記１以上のＬＰＮから選択された少なくとも二つの異なるノードから、少なくとも二つの異なる期間に前記無線デバイスに送信される、請求項２に記載の方法。
【請求項５】
前記アンテナ構成が、一つのＬＰＮの第１の送信アンテナと、前記マクロセル基地局の第２の送信アンテナとを含む、請求項１に記載の方法。
【請求項６】
前記異種無線ネットワークが、２以上のＬＰＮを含み、前記アンテナ構成が、一つのＬＰＮの第１の送信アンテナと、別のＬＰＮの第２の送信アンテナとを含む、請求項１に記載の方法。
【請求項７】
前記無線デバイスの前記推定された位置に基づいて、前記無線デバイスへの前記ダウンリンクの信号送信に関する送信スケジュールを生成することをさらに含む請求項１に記載の方法。
【請求項８】
前記送信スケジュールにおける前記ダウンリンクの参照信号の送信が、位置推定を実行するための参照信号の送信の第１のグループと、リンクの適合を実行するための参照信号の送信の第２のグループとを含む、請求項７に記載の方法。
【請求項９】
前記送信スケジュールの各エントリが、前記アンテナ構成と、前記参照信号の送信が位置推定を実行するためのものであるのか、又はリンクの適合を実行するためのものであるのかとを特定する、請求項８に記載の方法。
【請求項１０】
参照信号の送信の前記第１のグループが、参照信号の送信の前記第２のグループよりも低い繰り返しレートを有する、請求項８に記載の方法。
【請求項１１】
前記送信スケジュールを生成する前記動作が、
前記マクロセル基地局及び前記１以上のＬＰＮのすべての送信ポイントの第１の論理的グループ及び第２の論理的グループを生成することと、
前記第１の論理的グループの送信ポイントにダウンリンクのユーザデータの送信機会を割り振ることと、
第１の繰り返しレートで前記第１の論理的グループの送信ポイントに参照信号の送信機会を割り振ることと、
前記第１の繰り返しレート未満である第２の繰り返しレートで前記第２の論理的グループの送信ポイントに参照信号の送信機会を割り振ることと
を含む、請求項７に記載の方法。
【請求項１２】
前記決定されたアンテナ構成を使用して、前記無線デバイスにユーザデータを送信することをさらに含む請求項１に記載の方法。
【請求項１３】
マクロセル基地局及び１以上の低電力ノード（ＬＰＮ）を含む異種無線ネットワークにおいて無線デバイスへの信号送信のためのアンテナ構成を選択する装置であって、
前記無線デバイスの位置を推定する位置推定器と、
前記無線デバイスの推定された位置に基づいて、前記無線デバイスへのダウンリンクの信号送信のための前記アンテナ構成を決定するアンテナ構成器とを含み、
前記アンテナ構成が、前記マクロセル基地局及び前記１以上のＬＰＮの１以上の送信ポイントを指定する、装置。
【請求項１４】
前記位置推定器が、
前記無線デバイスに参照信号を送信する参照信号送信機と、
前記参照信号に関連する、前記無線デバイスからのフィードバックレポートを受信するフィードバックレポート受信機と
を含む、請求項１３に記載の装置。
【請求項１５】
前記参照信号送信機が、前記決定されたアンテナ構成を使用して前記参照信号のその後の送信を実行する、請求項１４に記載の装置。
【請求項１６】
前記参照信号が、前記マクロセル基地局及び前記１以上のＬＰＮから選択された少なくとも二つの異なるノードから、少なくとも二つの異なる期間に前記無線デバイスに送信される、請求項１４に記載の装置。
【請求項１７】
前記アンテナ構成が、一つのＬＰＮの第１の送信アンテナと、前記マクロセル基地局の第２の送信アンテナとを含む、請求項１３に記載の装置。
【請求項１８】
前記異種無線ネットワークが、２以上のＬＰＮを含み、前記アンテナ構成が、前記ＬＰＮのうちの一つの第１の送信アンテナと、前記ＬＰＮのうちの別の一つの第２の送信アンテナとを含む、請求項１３に記載の装置。
【請求項１９】
前記無線デバイスの前記推定された位置に基づいて、前記無線デバイスへの前記ダウンリンクの信号送信に関する送信スケジュールを生成するスケジューラをさらに含む請求項１３に記載の装置。
【請求項２０】
前記送信スケジュールにおけるダウンリンクの参照信号の送信が、位置推定を実行するための参照信号の送信の第１のグループと、リンクの適合を実行するための参照信号の送信の第２のグループとを含む、請求項１９に記載の装置。
【請求項２１】
前記送信スケジュールの各エントリが、前記アンテナ構成と、前記参照信号の送信が位置推定を実行するためのものであるのか、又はリンクの適合を実行するためのものであるのかとを特定する、請求項２０に記載の装置。
【請求項２２】
参照信号の送信の前記第１のグループが、参照信号の送信の前記第２のグループよりも低い繰り返しレートを有する、請求項２０に記載の装置。
【請求項２３】
前記スケジューラが、
前記マクロセル基地局及び前記１以上のＬＰＮのすべての送信ポイントの第１の論理的グループ及び第２の論理的グループを生成する送信ポイントグループ生成器と、
前記第１の論理的グループの送信ポイントにダウンリンクのユーザデータの送信機会を割り振るデータ送信時間割り振り器と、
第１の繰り返しレートで前記第１の論理的グループの送信ポイントに参照信号の送信機会を割り振り、前記第１の繰り返しレート未満である第２の繰り返しレートで前記第２の論理的グループの送信ポイントに参照信号の送信機会を割り振る参照信号送信時間割り振り器と
を含む、請求項１９に記載の装置。
【請求項２４】
前記決定されたアンテナ構成を使用して、前記無線デバイスにユーザデータを送信するユーザデータ送信機をさらに含む請求項１３に記載の装置。
【請求項２５】
無線通信装置であって、
実行可能な命令を記憶するメモリと、
前記実行可能な命令を読み取り、マクロセル基地局及び１以上の低電力ノード（ＬＰＮ）を含む異種無線ネットワークにおいて無線デバイスへの信号送信のためのアンテナ構成を選択する方法を当該無線通信装置に実施させるプロセッサとを含み、前記方法が、
前記無線デバイスの位置を推定することと、
前記無線デバイスの推定された位置に基づいて、前記無線デバイスへのダウンリンクの信号送信のための前記アンテナ構成を決定することとを含み、
前記アンテナ構成が、前記マクロセル基地局及び前記１以上のＬＰＮの１以上の送信ポイントを指定する、無線通信装置。
【請求項２６】
前記推定する動作が、
前記無線デバイスに参照信号を送信することと、
前記参照信号に関連する、前記無線デバイスからのフィードバックレポートを受信することと
を含む、請求項２５に記載の装置。
【請求項２７】
前記方法が、
前記決定されたアンテナ構成を使用して前記参照信号のその後の送信を実行することをさらに含む、請求項２６に記載の装置。
【請求項２８】
前記参照信号が、前記マクロセル基地局及び前記１以上のＬＰＮから選択された少なくとも二つの異なるノードから、少なくとも二つの異なる期間に前記無線デバイスに送信される、請求項２６に記載の装置。
【請求項２９】
前記アンテナ構成が、一つのＬＰＮの第１の送信アンテナと、前記マクロセル基地局の第２の送信アンテナとを含む、請求項２５に記載の装置。
【請求項３０】
前記異種無線ネットワークが、２以上のＬＰＮを含み、前記アンテナ構成が、前記ＬＰＮのうちの一つの第１の送信アンテナと、前記ＬＰＮのうちの別の一つの第２の送信アンテナとを含む、請求項２５に記載の装置。
【請求項３１】
前記方法が、
前記無線デバイスの前記推定された位置に基づいて、前記無線デバイスへの前記ダウンリンクの信号送信に関する送信スケジュールを生成することをさらに含む、請求項２５に記載の装置。
【請求項３２】
前記送信スケジュールにおけるダウンリンクの参照信号の送信が、位置推定を実行するための参照信号の送信の第１のグループと、リンクの適合を実行するための参照信号の送信の第２のグループとを含む、請求項３１に記載の装置。
【請求項３３】
前記送信スケジュールの各エントリが、前記アンテナ構成と、前記参照信号の送信が位置推定を実行するためのものであるのか、又はリンクの適合を実行するためのものであるのかとを特定する、請求項３２に記載の装置。
【請求項３４】
参照信号の送信の前記第１のグループが、参照信号の送信の前記第２のグループよりも低い繰り返しレートを有する、請求項３２に記載の装置。
【請求項３５】
前記送信スケジュールを生成する前記動作が、
前記マクロセル基地局及び前記１以上のＬＰＮのすべての送信ポイントの第１の論理的グループ及び第２の論理的グループを生成することと、
前記第１の論理的グループの送信ポイントにダウンリンクのユーザデータの送信機会を割り振ることと、
第１の繰り返しレートで前記第１の論理的グループの送信ポイントに参照信号の送信機会を割り振ることと、
前記第１の繰り返しレート未満である第２の繰り返しレートで前記第２の論理的グループの送信ポイントに参照信号の送信機会を割り振ることと
を含む、請求項３１に記載の装置。
【請求項３６】
前記方法が、
前記決定されたアンテナ構成を使用して、前記無線デバイスにユーザデータを送信することをさらに含む、請求項２５に記載の装置。
【請求項３７】
複数のユーザ機器（ＵＥ）にサービスを提供する、マクロセル基地局及び少なくとも一つの低電力ノード（ＬＰＮ）からなる複数の送信ポイントのグループを含む異種無線ネットワークにおいてダウンリンクの参照信号の送信をスケジューリングするための方法であって、
ダウンリンクの参照信号の送信の第１のスケジュールを、前記第１のスケジュールの各エントリが第１の送信タイムスロットと、前記ダウンリンクの参照信号を送信する第１の送信ポイントのグループと、第１の測定レポートを生成する第１のＵＥとを特定するように、生成することと、
ダウンリンクの参照信号の送信の第２のスケジュールを、前記第２のスケジュールの各エントリが第２の送信タイムスロットと、前記ダウンリンクの参照信号を送信する第２の送信ポイントのグループと、第２の測定レポートを生成する第２のＵＥとを特定するように、生成することとを含み、
前記第１のスケジュール及び前記第２のスケジュールは、前記第２のスケジュールに含まれる所与のタイムスロットが前記第１のスケジュールから除外されるように、送信タイムスロットを定義しており、
前記第１のスケジュールが、前記第２の測定レポートが所与のＵＥから受信される第２の繰り返しの頻度よりも少ない第１の繰り返しの頻度で前記所与のＵＥから前記第１の測定レポートを受信するように計画され、
前記第２のスケジュールのエントリは、前記第２の送信ポイントのグループが前記第２のＵＥにユーザデータを送信するためにも使用されているときにのみ、前記第２の送信ポイントのグループから前記第２のＵＥへの参照信号の送信を特定する、方法。
【請求項３８】
前記第１の測定レポートが、前記第１のＵＥに関する位置情報に関連するものである、請求項３７に記載の方法。
【請求項３９】
前記第２の測定レポートが、チャネル品質インジケータ（ＣＱＩ）のレポートを含む、請求項３７に記載の方法。
【請求項４０】
前記第１及び第２の送信ポイントのグループが、ＵＥの位置情報に基づいて形成される、請求項３７に記載の方法。
【請求項４１】
前記第１及び第２の送信ポイントのグループのうちの一つが、第１の送信ポイントと、前記第１の送信ポイントのカバレッジエリアと重なり合わないカバレッジエリアを有する第２の送信ポイントとを含む、請求項３７に記載の方法。
【請求項４２】
複数のユーザ機器（ＵＥ）にサービスを提供する、マクロセル基地局及び少なくとも一つの低電力ノード（ＬＰＮ）からなる複数の送信ポイントのグループを含む異種無線ネットワークにおいてダウンリンクの参照信号の送信をスケジューリングするための装置であって、
ダウンリンクの参照信号の送信の第１のスケジュールを、前記第１のスケジュールの各エントリが第１の送信タイムスロットと、前記ダウンリンクの参照信号を送信する第１の送信ポイントのグループと、第１の測定レポートを生成する第１のＵＥとを特定するように、生成する第１のスケジューラと、
ダウンリンクの参照信号の送信の第２のスケジュールを、前記第２のスケジュールの各エントリが第２の送信タイムスロットと、前記ダウンリンクの参照信号を送信する第２の送信ポイントのグループと、第２の測定レポートを生成する第２のＵＥとを特定するように、生成する第２のスケジューラとを含み、
前記第１のスケジュール及び前記第２のスケジュールは、前記第２のスケジュールに含まれる所与のタイムスロットが前記第１のスケジュールから除外されるように、送信タイムスロットを定義しており、
前記第１のスケジュールが、前記第２の測定レポートが所与のＵＥから受信される第２の繰り返しの頻度よりも少ない第１の繰り返しの頻度で前記所与のＵＥから前記第１の測定レポートを受信するように計画され、
前記第２のスケジュールのエントリは、前記第２の送信ポイントのグループが前記第２のＵＥにユーザデータを送信するためにも使用されているときにのみ、前記第２の送信ポイントのグループから前記第２のＵＥへの参照信号の送信を特定する、装置。
【請求項４３】
前記第１の測定レポートが、前記第１のＵＥに関する位置情報に関連するものである、請求項４２に記載の装置。
【請求項４４】
前記第２の測定レポートが、チャネル品質インジケータ（ＣＱＩ）のレポートを含む、請求項４２に記載の装置。
【請求項４５】
前記第１及び第２の送信ポイントのグループが、ＵＥの位置情報に基づいて形成される、請求項４２に記載の装置。
【請求項４６】
前記第１及び第２の送信ポイントのグループのうちの一つが、第１の送信ポイントと、前記第１の送信ポイントのカバレッジエリアと重なり合わないカバレッジエリアを有する第２の送信ポイントとを含む、請求項４２に記載の装置。
【請求項４７】
コードを記憶するコンピュータ可読ストレージ媒体であって、前記コードが、実行されるときに、複数のユーザ機器（ＵＥ）にサービスを提供する、マクロセル基地局及び少なくとも一つの低電力ノード（ＬＰＮ）からなる複数の送信ポイントのグループを含む異種無線ネットワークにおいてダウンリンクの参照信号の送信をスケジューリングするための方法をプロセッサに実施させ、前記方法が、
ダウンリンクの参照信号の送信の第１のスケジュールを、前記第１のスケジュールの各エントリが第１の送信タイムスロットと、前記ダウンリンクの参照信号を送信する第１の送信ポイントのグループと、第１の測定レポートを生成する第１のＵＥとを特定するように、生成することと、
ダウンリンクの参照信号の送信の第２のスケジュールを、前記第２のスケジュールの各エントリが第２の送信タイムスロットと、前記ダウンリンクの参照信号を送信する第２の送信ポイントのグループと、第２の測定レポートを生成する第２のＵＥとを特定するように、生成することとを含み、
前記第１のスケジュール及び前記第２のスケジュールは、前記第２のスケジュールに含まれる所与のタイムスロットが前記第１のスケジュールから除外されるように送信タイムスロットを定義しており、
前記第１のスケジュールが、前記第２の測定レポートが所与のＵＥから受信される第２の繰り返しの頻度よりも少ない第１の繰り返しの頻度で前記所与のＵＥから前記第１の測定レポートを受信するように計画され、
前記第２のスケジュールのエントリは、前記第２の送信ポイントのグループが前記第２のＵＥにユーザデータを送信するためにも使用されているときにのみ、前記第２の送信ポイントのグループから前記第２のＵＥへの参照信号の送信を特定する、コンピュータ可読ストレージ媒体。
【請求項４８】
前記第１の測定レポートが、前記第１のＵＥに関する位置情報に関連するものである、請求項４７に記載のコンピュータ可読ストレージ媒体。
【請求項４９】
前記第２の測定レポートが、チャネル品質インジケータ（ＣＱＩ）のレポートを含む、請求項４７に記載のコンピュータ可読ストレージ媒体。
【請求項５０】
前記第１及び第２の送信ポイントのグループが、ＵＥの位置情報に基づいて形成される、請求項４７に記載のコンピュータ可読ストレージ媒体。
【請求項５１】
前記第１及び第２の送信ポイントのグループのうちの一つが、第１の送信ポイントと、前記第１の送信ポイントのカバレッジエリアと重なり合わないカバレッジエリアを有する第２の送信ポイントとを含む、請求項４７に記載のコンピュータ可読ストレージ媒体。
【発明の詳細な説明】
【技術分野】
【０００１】
関連出願の相互参照
この特許明細書は、２０１３年１月１５日に出願された米国仮出願第６１／７５２，８９８号の優先権の利益を主張するものである。上記特許出願の内容全体は、参照により本明細書に組み込まれる。
【０００２】
本明細書は、１以上の低電力ノードがマクロ基地局のカバレッジエリア内に少なくとも部分的に配置される異種ネットワークを含むセルラ電気通信システムに関する。
【背景技術】
【０００３】
セルラ通信システムは、音声サービス、モバイルブロードバンドデータサービス、及びマルチメディアサービスを提供するために世界中に配置されている。オンライン状態になるスマートフォンなどの携帯電話の数の継続的な増加と、大量のデータを消費する新しいモバイルアプリケーション、例えば、ビデオ及びグラフィックスに関連するモバイルアプリケーションの配置とを含むさまざまな要因で、セルラの帯域幅のニーズが増え続けている。モバイルシステムの運用者は、新しいモバイルデバイスをネットワークに追加し、新しいモバイルアプリケーションを配置し、ブロードバンドモバイルサービスの対象範囲に含まれる地理的地域を拡大するので、運用者のカバレッジエリアを高帯域幅の接続性の対象範囲に含める継続的なニーズが存在する。
【発明の概要】
【課題を解決するための手段】
【０００４】
無線ネットワークによってサービスを提供されている無線デバイスの位置についての情報を使用して無線ネットワークの動作効率を向上させるための技術が、開示される。いくつかの実装においては、異種無線通信ネットワークが、マクロセル基地局及び１以上の低電力ノード（low power node）を含む。無線デバイスの位置が、参照信号（reference signal）のダウンリンクの送信に応答して無線デバイスから受信されるフィードバックレポート（例えば、参照信号が受信される基地局の識別情報）に基づいて推定される。推定された位置に基づいて、無線デバイスへの参照信号の将来の送信に関するスケジュールが決定される。推定された位置に基づいて、無線デバイスへのダウンリンクの信号送信のための送信アンテナの構成が決定される。
【０００５】
一態様において、異種無線ネットワーク（HetNet）において無線デバイスへの信号送信のためのアンテナの構成を選択するための方法、システム、及び装置が開示される。ＨｅｔＮｅｔは、マクロセル基地局及び１以上の低電力ノード（LPN）を含む。無線デバイスの位置が、推定される。無線デバイスの推定された位置に基づいて、無線デバイスへのダウンリンクの信号送信のためのアンテナの構成が決定される。アンテナ構成は、マクロセル基地局及び１以上のＬＰＮからの１以上の送信ポイント（transmission point）を指定する。
【０００６】
別の態様においては、ＨｅｔＮｅｔにおいてダウンリンクの参照信号の送信をスケジューリングするための技術が、開示される。ダウンリンクの参照信号の送信の第１のスケジュールが、生成される。第１のスケジュールの各エントリは、第１の送信タイムスロットと、ダウンリンクの参照信号を送信する第１の送信ポイントのグループと、第１の測定レポートを生成する第１のユーザ機器（ＵＥ）とを特定する。ダウンリンクの参照信号の送信の第２のスケジュールは、第２のスケジュールの各エントリが第２の送信タイムスロットと、ダウンリンクの参照信号を送信する第２の送信ポイントのグループと、第２の測定レポートを生成する第２のＵＥとを特定するように、生成される。第１の及び第２のスケジュールは、第２のスケジュールに含まれる所与のタイムスロットが第１のスケジュールから除外されるように送信タイムスロットを定義する。第１のスケジュールは、第２の測定レポートが所与のＵＥから受信される第２の繰り返しの頻度よりも少ない第１の繰り返しの頻度で前記所与のＵＥから第１の測定レポートを受信するように、計画される。第２のスケジュールのエントリは、第２の送信ポイントのグループが第２のＵＥにユーザデータを送信するためにも使用されているときにのみ、第２の送信ポイントのグループから前記第２のＵＥへの参照信号の送信を特定する。
【０００７】
別の態様においては、無線通信ネットワークが、マクロセル基地局及び２以上のＬＰＮを含む。ＵＥの位置が、利用可能なマクロセル基地局及びＬＰＮからなる送信ポイントの第１のサブセットからの参照信号の送信に基づいて推定される。第１のサブセットは、それよりも前に推定されたＵＥの位置に基づいて特定される。その前に推定された位置に基づいて選択される送信ポイントの第２のサブセットからＵＥへのダウンリンクのデータ送信が、行われる。参照信号の送信が、送信ポイントの第２のサブセットから行われ、ＵＥが、リンクの推定のための対応するチャネル品質のレポートを送信する。送信ポイントの第１のサブセット及び送信ポイントの第２のサブセットは、ＵＥの推定された移動方向、ネットワークの負荷、ＬＰＮのトポロジーなどの動作上の基準に基づいて互いに異なる場合がある。
【０００８】
これらの及びその他の態様並びにそれらの実装及び変更形態が、図面、説明、及び特許請求の範囲に示される。
【図面の簡単な説明】
【０００９】
【図１】少なくとも二つの低電力ノードがマクロセル内に存在する、無線ネットワークの配置の場合を示す図である。
【図２】無線ネットワークにおける参照信号の送信のスケジュールを示す図である。
【図３】少なくとも三つの低電力ノードがマクロセル内に存在する、無線ネットワークの配置の場合を示す図である。
【図４】無線ネットワークにおける参照信号の送信のスケジュールを示す図である。
【図５】複数の(例えば、四つ以上の)低電力ノードがマクロセル内に存在する、無線ネットワークの配置の場合を示す図である。
【図６】無線ネットワークにおける参照信号の送信のスケジュールを示す図である。
【図７】無線通信のプロセスの流れ図である。
【図８】無線ネットワーク装置のブロック図である。
【図９】無線通信ネットワークにおいてダウンリンクの参照信号の送信をスケジューリングするためのプロセスの流れ図である。
【図１０】無線通信ネットワークにおいてダウンリンクの参照信号の送信をスケジューリングするための装置のブロック図である。
【発明を実施するための形態】
【００１０】
さまざまな図面内の同様の参照符号は、同様の要素を示す。
【００１１】
セルラ通信システムは、例えば、インターネットプロトコル（ＩＰ）ネットワークを使用して音声サービスとモバイルブロードバンドデータサービスとの両方を提供し得る。近年、ＩＰに対応したスマートフォンが、無線通信ネットワーク内に配置されている。これらのスマートフォンは、日増しに多くのアップリンク及びダウンリンクのデータ送信帯域幅を使用するアプリケーションプログラムを実行する。したがって、無線ネットワークにおいて、無線デバイスが利用できるようにされるアップリンク及びダウンリンクの送信帯域幅の量を増やす努力が常に続けられている。
【００１２】
ポイントツーポイントリンクのスペクトル効率は既にその理論的限界に近づいているので、帯域幅の増え続ける需要に対応するための一つの方法は、大きなセルを徐々に小さなセルに分割し、異なるセルで同じ周波数スペクトルを再利用することである。この技術は、帯域幅の空間的再利用と呼ばれることがある。セルが比較的小さく、それに対応して、それらのセルにサービスを提供する基地局が互いに比較的近くにあるとき、近隣のセルの干渉が増加し、それにより、セルの分割によって実現される帯域幅の利得を制限する可能性がある。無線ネットワークの運用者が直面する別の運用上の問題は、基地局を設置するための新たな場所を得て、それを維持することが難しい場合が多いことである。運用上の支出及び資本的支出の増加は、ネットワークを徐々に小さなセルに分割することにより実現されるどんな帯域幅の利得よりもやはり重要である可能性がある。
【００１３】
最近では、ＨｅｔＮｅｔ（異種ネットワーク）と呼ばれることがある、帯域幅のボトルネックに対する解決策を与える新しい種類のネットワークの構成が、無線産業において多くの関心を集めてきた。ＨｅｔＮｅｔにおいては、複数の低電力ノードからなるティア（tier）が、カバレッジを拡大又は改善するために既存のマクロ基地局に追加される。よりうまく干渉を管理し、リソースを割り当てるために、既存のマクロ基地局が、マスターとして働き、１以上の低電力ノード（ＬＰＮ：Low Power Node）が、マスターのスレーブとして働く。
【００１４】
これまでのセルラ無線ネットワークと同様に、ＨｅｔＮｅｔは、ネットワークの効率を維持するか又は改善するためにいくつかのアップリンク及びダウンリンクの参照信号を使用することができる。一部のダウンリンクの参照信号（すなわち、ネットワーク側の送信ポイントから無線デバイスに送信される参照信号）が、ユニキャストされる（つまり、一つの無線デバイスによって受信されるように意図されている）可能性がある一方、その他の参照信号は、ブロードキャストされる（つまり、複数の無線デバイスによる受信のためのものである）可能性がある。加えて、地理的に分散された送信ポイントが利用可能であることによって、さらなる運用の改善を実現する可能性が生まれる。
【００１５】
しかし、これまでの無線ネットワークは、動作効率を改善するためにＨｅｔＮｅｔ構成を十分に活用することができない。本明細書において開示される技術は、ＨｅｔＮｅｔの動作を改善するために使用され得る。例えば、これまでの無線ネットワークにおいては、参照信号が、ネットワーク内で動作する無線デバイスが基地局にチャネル品質フィードバックを提供するために、周期的に下り方向に送信される。ロングタームエボリューション（ＬＴＥ）規格などの無線規格は、これらの参照信号の送信が配置される送信リソース（ＬＴＥにおいてはリソースブロック又はＲＢと呼ばれる）をユーザデバイスが特定することを可能にする閉形式（closed form expression)を提供する。参照信号の送信に割り当てられるリソースは、セルの識別値及びアンテナポートの識別値に応じて決まる。しかし、ユーザデバイスの位置と参照信号の送信リソースとの間に依存関係はない。同様に、特定のアンテナポートからの参照信号の送信に割り当てられるリソースと、ダウンリンクのデータがその送信ポートから送信されているか否か（及びどれだけのダウンリンクのデータがその送信ポートから送信されているか）との間に依存関係はない。したがって、これまでの無線ネットワークは、ＨｅｔＮｅｔの配置で利用可能な、地理的に分散された送信ポイントによってもたらされる運用上の利点を使用することができない。
【００１６】
いくつかの応用において、本明細書で開示される技術は、異種無線ネットワーク内で動作する無線デバイスの位置（例えば、無線デバイスがどのダウンリンクの送信ポイント又は基地局の近くにあるか）を推定するために実施され得る。そして、参照信号の送信を用いて（又はその他の方法で）取得された位置推定値が、無線デバイスが動作しているセル、並びにユーザデバイスへのダウンリンクのデータと参照信号との両方の将来の送信のために使用されるダウンリンクの送信ポイントの構成（例えば、（１以上の）ノード及びこれらのノードのアンテナポート）を決定するために使用され得る。
【００１７】
（無線セルによる対象範囲に含まれる領域に地理的に分散された、すなわち、同じセルＩＤを有する）異なる送信ポイントが、異なる繰り返しレート（repetition rate)で送信リソースを割り振られてもよい。繰り返しレートは、ユーザデバイスの位置、及び／又は送信ポイントによって送信されているダウンリンクのデータの量に応じて決められてもよい。
【００１８】
さらに、上で検討された特徴及びさらなる特徴が、以下でより詳細に説明される。
【００１９】
以下に与えられる説明においては、さまざまな技術が、ＬＴＥ無線ネットワークのさまざまな基本構成要素及び用語に対する参照を使用することによって説明される。しかし、ＬＴＥは、説明を簡単にするために使用されるに過ぎず、開示される技術は、ＬＴＥに限定されず、ＷｉＭａｘ、４Ｇなどのその他の通信ネットワークにおいても実施され得る。
【００２０】
上述のように、ＨｅｔＮｅｔは、自身のカバレッジエリア内の１以上のＬＰＮを制御するマクロ基地局を含む。いくつかの配置においては、ＬＰＮは、それらのＬＰＮ独自のセルＩＤを持たず、その代わりに、すべてのＬＰＮが、マクロ局と同じセルＩＤを共有している。無線デバイスは、通常はマクロ基地局によってのみ送信されるプライマリ同期信号及びセカンダリ同期信号（ＰＳＳ（primary synchronization signal）／ＳＳＳ（secondary synchronization signal））からセルＩＤを推測する。
【００２１】
いくつかの種類の参照信号（例えば、ＬＴＥのセル固有の参照信号(Cell-specific Reference Signal)、ＣＲＳ）は、常にマクロ基地局から送信される。ＬＰＮは、ＣＲＳを送信する場合があり、又は送信しない場合がある。いくつかのその他の種類の参照信号は、マクロ基地局及び／又は１以上のＬＰＮの両方によって送信される場合がある。そのような参照信号の一例は、ＬＴＥのチャネル状態情報参照信号（ＣＳＩ−ＲＳ）であり、この参照信号は、以下でより詳細に検討される。
【００２２】
ＬＴＥにおいて、ＣＳＩ−ＲＳシーケンスは、通常は物理ダウンリンク共有チャネル（ＰＤＳＣＨ）用に予約されているリソース要素（ＲＥ）に配置される。ＰＤＳＣＨは、ネットワークによってサービスを提供されている無線デバイス（ＬＴＥにおいてはユーザ機器又はＵＥとも呼ばれる）にダウンリンクのデータ、例えば、アプリケーション層のユーザデータを送信するためにネットワークによって使用される。ＬＴＥにおいて、ＣＳＩ−ＲＳシーケンスは、使用されるＲＥ、使用されるサブフレームを定義し、さらに、ＣＳＩ−ＲＳサブフレームの周期を指定することによって、セルにおいて構成される。ＣＳＩ−ＲＳサブフレームは、ＣＳＩ−ＲＳの参照シンボルの送信を許容するＬＴＥサブフレームである。ＣＳＩ−ＲＳサブフレームの周期又は繰り返しレートは、ＬＴＥ規格によれば５（サブフレーム）から８０（サブフレーム）までの間で構成可能である。送信リソースの割り当ての一つのシーケンスに関して、規格で許されている任意の数の（一つ、二つ、四つ、又は八つの）アンテナポートが使用され得る。異なるアンテナポートが、異なるノードに配置されてもよい。しかし、ＬＴＥのＵＥは、受信されたＣＳＩ−ＲＳの送信に基づいて、チャネル品質インジケータ（ＣＱＩ：Channel Quality Indicator）と呼ばれる単一のフィードバックを提供する。これは、ネットワークが、ＵＥから受信されるＣＱＩのフィードバックにのみ基づいてどのアンテナ（送信ポイント）がＵＥへの最良のチャネルを有するかについての明示的なフィードバックを得ないことを意味する。
【００２３】
複数の送信ポイントから参照信号の送信を受信することに応答するＵＥからの組み合わされた単一のレポートによって引き起こされる曖昧性が原因で、参照信号が、位置推定を目的としてネットワークによりＵＥに送信されるときには、異なる地理的位置にある、つまり、ＵＥへの異なる通信チャネルを有する二つの送信ポイントから参照信号を同時に送信しないことが有益である。位置推定のための一つのあり得る解決策は、同じノードに位置する、参照信号の送信のために使用される送信ポイントにのみ同じ送信リソースを割り当てることである。このように、ＵＥからのＣＱＩのフィードバックが、そのノードからのチャネル品質に関連付けられ得る。
【００２４】
ＵＥは、セル内に散らばっており、移動可能である、つまり、その位置を動的に変えている可能性がある。さらに、三角測量などの位置推定方法の恩恵を受けるために、複数の地理的にばらばらな送信ポイントに関する所与のＵＥからのチャネル品質フィードバックが、使用されてもよい。したがって、ダウンリンクの参照信号の送信は、ＨｅｔＮｅｔ内のすべての可能性があり得るダウンリンクの送信ポイントから周期的に所与のＵＥに向けられてもよい。しかし、以下でさらに詳細に説明されるように、どれぐらいの頻度でＵＥに位置推定の参照信号を送信すべきかは、ＵＥが現在どこにあるかと、ＵＥがどの方向に移動しているかとについての情報により制御され得る。
【００２５】
さまざまな実装において、ダウンリンクの参照信号が、無線ネットワークにおいて、ＵＥの位置推定と、さらに、ネットワークとＵＥとの間のチャネル品質の継続的な監視と、それに応じた送信方式の適合とのために使用されてもよい。例えば、ＬＴＥにおいては、ＰＤＳＣＨのダウンリンクの送信の効率のために、データの送信に最も適した（１以上の）ノードを選択することが望ましい。したがって、以下でより詳細に説明されるように、ＵＥの位置情報は、ダウンリンクのデータ送信のためにどの送信ポイントを使用すべきかを決定するために使用されるのみならず、リンクの品質の推定を目的としてＵＥに参照信号をどれぐらいの頻度で送信すべきか、どの送信ポイントから送信すべきかを決定するためにも使用され得る。
【００２６】
無線ネットワークが複数の送信ポイントからの参照信号の送信の上で検討された異なる用途に対処することができる一つの方法は、ダウンリンクの送信リソースをすべての可能性があり得る送信ポイントに一様に割り当てることである。しかし、２以上のＬＰＮが一つのマクロの下にあるＨｅｔＮｅｔにおいては、多くの異なる送信ポイントが存在する可能性があり、異なる用途に対処するために、参照信号の送信のために使用されるダウンリンクの送信帯域幅の総量を増やすことができない可能性がある。
【００２７】
ＵＥの位置がセル内で変化しており、その結果、ＰＤＳＣＨ上のデータ送信がノード間を転々と移動させられることを考慮すると、一部の実装においては、前の送信ポイントからの古い参照信号が解放され、リンクの適合を目的として新しいノードに割り当てられる可能性がある。
【００２８】
いくつかの実施形態において、３ＧＰＰ  ３６．２１１  Ｒ１０において定義されているＣＳＩ−ＲＳの参照シーケンス（reference sequence）は、ＵＥの位置についての情報を得るという「新しい目的を与えられる」可能性がある。ＬＴＥに準拠したＵＥの観点から見ると、ＬＴＥ規格で規定されているＣＳＩ−ＲＳの受信又はＣＳＩ−ＲＳに対する応答の送信のどちらにも変化はない。しかし、ネットワークは、ＣＳＩ−ＲＳフィードバックを処理して、ダウンリンクのＰＤＳＣＨの送信に最も適した送信ノード（低電力ノードか又はマクロ局かのどちらか）を選択する。さらに、ネットワークは、リンクの適合のために同じＣＳＩ−ＲＳの送信に関して受信されたフィードバックを処理する。
【００２９】
いくつかの実施形態においては、ＣＳＩ−ＲＳフィードバックレポートの二重の用途に役立つように、同じＣＳＩ−ＲＳシーケンスが、異なるノード（又は送信ポイントの構成）からの二つの異なる周期の送信のためにスケジューリングされる。
【００３０】
概して低いが構成可能なレートで、ＣＳＩ−ＲＳの送信機会が、すべての候補送信ポイントの間に割り当てられ得る。候補送信ポイントは、マクロ基地局若しくはＬＰＮの任意のアンテナ、又はＰＤＳＣＨの送信を実行し得るアンテナの組み合わせである。いくつかの実施形態においては、ＣＳＩ−ＲＳのＲＥが、セル内のすべてのノードに代わる代わる（turn by turn)割り当てられ、ＣＳＩ−ＲＳの送信のための送信ポイントの構成が、ＰＤＳＣＨの送信のための送信ポイントの構成と一致する可能性がある。セル内のすべてのＵＥは、推定されたＣＳＩ（例えば、ＣＱＩ値及びランク）を返報するように構成され得る。ネットワークは、この情報を位置推定のための入力パラメータとして使用する。位置推定手順は、ＰＤＳＣＨの送信のためのノードを特定するために継続的に実行されてもよい。位置推定は、さまざまな技術を使用して実行され得る。例えば、一つの技術によれば、三角測量の方法が、三つの地理的に分かれた送信ポイントからのＵＥの距離を推定して、ＵＥがある領域を推定するために使用され得る。別の技術においては、ＵＥは、ＣＱＩが最良の可能なチャネル（例えば、ダウンリンクの送信のための最も密な可能な信号点配置（constellation））を示した送信ポイントの近くにあると見なされ得る。いくつかの技術においては、最も新しい測定値に基づく瞬間的な位置が、ＵＥが移動している方向を推定するために、過去の測定値と一緒に使用され得る。
【００３１】
一組の送信ポイントから、概して高いが構成可能なレートで、ＣＳＩ−ＲＳの送信が、リンクの適合のためにスケジューリングされ得る。これらのノードから、ＣＳＩ−ＲＳの送信が、（位置推定に関連するＣＳＩ−ＲＳの送信と比較して）より高い繰り返しレートで行われ、これらのノードからＰＤＳＣＨを受信する対象となっているＵＥのみが、リンクの適合のためにフィードバックレポートを送信するように制御される。以下でさらに説明されるように、ＰＤＳＣＨ及びＣＳＩ−ＲＳの送信のためにスケジューリングされる一組の送信ポイントは、位置推定の出力に応じて動的に変わり得る。
【００３２】
図１は、マクロ基地局１０２並びに二つのＬＰＮ、ＬＰＮ１  １０４ａ及びＬＰＮ２  １０４ｂを含むＨｅｔＮｅｔ構成１００の一例を示す。マクロ基地局１０２は、二つのＬＰＮ  １０４ａ及び１０４ｂがある領域１１０に無線サービスのカバレッジ（対象範囲）を提供する。ＬＰＮ  １０４ａ及び１０４ｂは、それぞれ、領域１１２及び１０８にサービスのカバレッジを提供する。示された例において、カバレッジエリア１０８及び１１２は、単にいくつかの特徴の説明を容易にするために、重なり合っていないものとして図示されている。移動可能であり、したがって、三つの異なる時間ｔ１、ｔ２、及びｔ３に三つの異なる位置にあるものとして示されているＵＥ  １０６にサービスを提供する構成１００が示されている。
【００３３】
ＵＥ  １０６は、時間ｔ１のＬＰＮ１の近くのそのＵＥ  １０６の初期位置からＬＰＮ２の近くの別の位置に移動しており、時間ｔ３にその別の位置に到達する。位置を変えている間に、ＵＥ  １０６は、ＬＰＮ１のカバレッジエリア１１２を離れ、一時的に（例えば、時間ｔ２に）マクロ局によってのみサービスを提供され、そして最終的に、ＬＰＮ２  １０４ｂのカバレッジエリア１０８内に入る。
【００３４】
ネットワークを効率的に運用するため、及び無線通信チャネルに対する変更による効率の低下を緩和するために、ＵＥ  １０６は、ＵＥ  １０６が信号を受信することができるセル１１０内のすべてのノードのリンクの品質を頻繁に報告する。上記で検討されたように、ＵＥ  １０６からのフィードバックレポートに基づいて、ネットワークは、参照信号を受信するときにＵＥの位置を追跡することができる。いくつかの実装においては、測位（position location）が、ＰＤＳＣＨの送信のための候補であるすべてのノードから送信される参照信号を用いて実現され得る。いくつかの実装においては、ＣＳＩ−ＲＳの参照シーケンスが、ＵＥの位置推定を実現するために使用される。
【００３５】
ＬＴＥにおいては、ＵＥは、ＣＳＩ−ＲＳの送信にＲＢを割り当てるための式に基づいて、どの送信リソースがダウンリンクのＣＳＩ−ＲＳの送信のために使用されるかを知る。しかし、ＣＳＩ−ＲＳに割り当てられたどのＲＢにおいてどの送信ポイントがダウンリンクの無線周波数（ＲＦ）の送信を送るのかについての情報は、ＵＥに運ばれない。ＣＳＩ−ＲＳを受信した後、ＵＥは、単純に、ＣＳＩ−ＲＳの測定に基づいてＣＱＩ値を報告することを期待される。次に、ネットワークは、受信されたＣＱＩのレポートを、対応するノードにマッピングすることができる。例えば、いくつかのＣＳＩ−ＲＳの送信が、ＬＰＮ１によって実行されてよい（１１４）一方、いくつかのＣＳＩ−ＲＳの送信は、マクロ基地局１０２によって実行されてもよく（１１６）、その他の送信１１８は、ＬＰＮ２から行われてもよい。いくつかの実装においては、したがって、参照信号の送信は、空間的に多様である（つまり、地理的に分かれた送信ポイントから送信される）のみならず、時間的にも多様である（つまり、異なる送信ポイントが、参照信号の送信のために割り当てられたＲＢを順番に代わる代わる使用する）。図１においては、時間的な多様性が、送信１１４、１１６、及び１１８に対する時間ラベルＴａ、Ｔｂ、及びＴｃによって示されている。
【００３６】
図１に示される例においては、時間ｔ１において、受信されたＣＱＩのレポートに基づいて、ネットワークが、ＬＰＮ１  １０４ａがＵＥ  １０６にデータを送信するために最も適したノードであると決定してもよい。したがって、ネットワークは、ＬＰＮ１に、ＰＤＳＣＨを使用してＵＥ  １０６にダウンリンクのデータを送信するように指示してもよい。リンクの品質を監視し、維持するのを支援するために、したがって、ネットワークは、リンクの適合のために参照信号を送信するようにやはりＬＰＮ１  １０４ａを制御する。
【００３７】
ＵＥ  １０６がおそらくはＬＰＮ１  １０４ａからのＰＤＳＣＨの送信でダウンリンクのデータをやはり受信しながらＬＰＮ２  １０４ｂに向かって移動しているとき、ある時点（例えば、ｔ２）で、ネットワークへのＵＥのＣＱＩのレポートは、マクロ基地局１０２が時間ｔ２においてＵＥ  １０６へのデータ送信に最も適したノードであることをネットワークに示してもよい。そのとき、ネットワークは、もっぱらマクロ基地局１０２からＰＤＳＣＨを送信し、リンクの適合のための参照信号を送信するように決定してもよい。しかし、ＵＥ  １０６は、事前のスケジュールにしたがって参照信号の送信を引き続き受信し続け、前記参照信号の送信を行う送信ポイントの識別情報が変わるだけなので、ネットワークによるこの決定はＵＥ  １０６にはまったく分からないままである可能性がある。ＵＥ  １０６がＬＰＮ２  １０４ｂのカバレッジエリア１０８内に到達するとき、ネットワークは、ＵＥ  １０６がＬＰＮ２  １０４ｂからＰＤＳＣＨ及び参照信号を受信するように送信ポイントを制御してもよい。
【００３８】
概して、二つの異なる参照信号のシーケンス、リンクの適合のための参照信号のシーケンス及び位置推定のための別の参照信号のシーケンスが使用され得るが、その目的のために同じ種類の参照信号（例えば、ＬＴＥのためのＣＳＩ−ＲＳ）のシーケンスが使用可能である。
【００３９】
図２は、図１の場合に適用され得るＣＳＩ−ＲＳのスケジューリングのためのスケジューリングの例を明らかにするスケジューリングテーブル２００を示す。列２０１は、複数の行のエントリを列挙する。行２０２は、１から始まり最大でサブフレーム２１まで列挙されるＣＳＩ−ＲＳシーケンスのＣＳＩ−ＲＳサブフレームの番号を列挙する。行２０４は、ネットワークが所与のＣＳＩ−ＲＳの送信時期に関してＣＳＩ−ＲＳの送信をスケジューリングするノード又は送信ポイントを列挙する。行２０６は、ネットワークが所与のＣＳＩ−ＲＳの送信時期に位置推定／更新を実行するか否かを列挙する。行２０８は、どのノードがネットワークによってダウンリンクのデータ送信のために割り当てられ得るかを列挙する。
【００４０】
行２０４内の複数の四角２１２は、左から右に向かって、ノードの使用の以下のシーケンス、すなわち、Ｍ、ＬＰＮ１、ＬＰＮ２、Ｍ、ＬＰＮ１、ＬＰＮ２、Ｍ、．．．などを示す。行２０６内のエントリによって示されるように、行２０４の上で列挙されたシーケンスは、ネットワークが、ＵＥ  １０６の位置を推定するために四角２１２においてＣＳＩ−ＲＳの送信を使用することを示す。すべてのノードの間でのこれらの「位置推定」のＣＳＩ−ＲＳの送信の割り当ては、すべてのノードの間で（リンクの適合のためのＣＳＩ−ＲＳの割り当てと比較して）低いレートで周期的である。図２に示された例において、同じノードからの二つの「位置推定」のＣＳＩ−ＲＳの送信の間では、９つのＣＳＩ−ＲＳサブフレームを取る。換言すれば、一つのノードに関連するＵＥの更新されたＣＱＩのレポートは、９つのＣＳＩ−ＲＳサブフレームごとに一回、ＵＥ  １０６とそのノードとの間の距離を推定するためにネットワークによって処理される。ネットワークは、二つの連続するＣＳＩ−ＲＳサブフレームの間の時間間隔を構成することができる。３ＧＰＰ  ＬＴＥ  Ｒ１０規格によれば、この時間は５、１０、２０、４０、又は８０ｍｓに設定され得る。
【００４１】
図２に示された例においては、三つのＣＳＩ−ＲＳサブフレームにわたる時間間隔（例えば、間隔２１６）の間に、ネットワークが、それぞれのネットワークの送信ポイントから、ＵＥからの一つのＣＱＩフィードバックレポートを受信する。位置更新間隔（ＬＵＩ：Location Uprate Interval）と呼ばれるこの時間間隔は、ＵＥ  １０６に関する位置推定を更新するためにネットワークによって使用される期間であってもよく、ひいては、ダウンリンクのデータの送信ポイントを決定するために使用されてもよい。例えば、いくつかの実施形態においては、新しい測定レポートが、ネットワークによって受信され、かつ評価され、ＬＵＩごとに、ＰＤＳＣＨの送信ノードの選択が、更新される。したがって、ＣＱＩのレポートの評価に応じて、ネットワークは、ＰＤＳＣＨのための送信ポイントを変更し得る。スケジューリングの例２００において、これは、ＰＤＳＣＨがＬＰＮ１からマクロ基地局に変更されるＣＳＩ−ＲＳサブフレーム１０と、ＰＤＳＣＨがマクロ基地局からＬＰＮ２に変更されるＣＳＩ−ＲＳサブフレーム１６とで起こる。
【００４２】
上述の位置推定と比較して、リンクの適合のためのＣＳＩ−ＲＳの使用は、ずっと速く繰り返される。ＣＳＩ−ＲＳは、ＰＤＳＣＨの送信のために選択されるノードからも送信される。例えば、時間間隔２１８においては、行２０８に示されるように、ネットワークは、ＬＰＮ１がＰＤＳＣＨの送信に最も適していると決定している。したがって、ＣＳＩ−ＲＳのダウンリンクの送信も、ＬＰＮ１から行われる。しかし、サブフレーム１  （２１２）においては、マクロ基地局１０２が位置推定を目的として参照信号を送信するようにスケジューリングされているので、したがって、リンクの適合のＲＢの割り当ては、（より低い繰り返しレートで行われる）位置推定の割り当てによって置き換えられ得る。サブフレーム２から６までは、ＣＳＩ−ＲＳは、ＬＰＮ１からのみ送信される。したがって、リンクの適合は、可能な限り速く行われ得る。サブフレーム７においては、ＰＤＳＣＨが、引き続きＬＰＮ１から送信されているが、位置推定の目的で、ＬＰＮ１ではなく、ＬＰＮ２が、ＣＳＩ−ＲＳを送信する機会を与えられる。言い換えると、ＣＳＩ−ＲＳサブフレーム７でＵＥ  １０６によって送信されたＣＱＩのレポートは、リンクの適合には使用されない可能性があるが、位置推定の更新のために使用可能である。リンクの適合に関して、ネットワークは、前に送信されたＣＱＩのレポートに頼ってもよい。サブフレーム１０においては、ＵＥの位置推定が行われ、ＰＤＳＣＨとリンクの適合のためのＣＳＩ−ＲＳの送信とが、ＬＰＮ１からマクロ基地局に移される。
【００４３】
スケジュール２００では、ほとんどすべてのＣＳＩ−ＲＳサブフレームがリンクの適合のために使用される可能性があることが見て取れる。ネットワークがリンクの適合のために古いＣＱＩのレポートを使用するのは、サブフレーム１、７、１３、及び１９（など）においてのみである。
【００４４】
図２に示された例は、単純化されており、二つのＬＰＮ及びセル内の一つのＵＥを使用するが、位置推定及びリンクの適合のための参照信号の送信のスケジューリングと、ＰＤＳＣＨの送信ポイントがＵＥ  １０６から受信されたＣＳＩ測定レポートに基づいてどのように変更され得るかとの間の関係を示す。
【００４５】
図３は、三つのＵＥが一つのマクロ基地局１０２及び三つのＬＰＮ  １０４ａ、１０４ｂ、１０４ｃによってサービスを提供されている例示的なＨｅｔＮｅｔ構成３００を示す。構成３００は、位置推定のためのＣＳＩ−ＲＳの送信のために異なるノードをどのようにスケジューリングすべきかと、リンクの適合に関する更新レートを上げるために異なるノードからのＣＳＩ−ＲＳの送信をどのようにしてまとめてグループ化すべきかとを示す。
【００４６】
図３のさまざまなノードのカバレッジエリアを考慮すると、以下のものが存在することが見て取れる。
ＬＰＮ１による対象範囲に含まれる一つのエリア（３１２）
ＬＰＮ２による対象範囲に含まれる一つのエリア（３０８）
両方のノードからのジョイントＰＤＳＣＨ送信（joint PDSCH transmission）が可能であるＬＰＮ１とＬＰＮ２との間の一つの重複エリア（ＯＬ）  （３１４）
ＬＰＮ３による対象範囲に含まれる一つのエリア（３１８）
両方のノードからのジョイントＰＤＳＣＨ送信が可能であるＬＰＮ３とマクロとの間の一つの重複エリア（ＯＬ）  （３１８）
マクロ基地局１０２による対象範囲に含まれるその他すべて（１１０の残りのエリア）
【００４７】
したがって、いくつかの実装においては、ＰＤＳＣＨの送信のための候補は、以下とおりである。
（１）  マクロ１０２
（２）  ＬＰＮ１
（３）  ＬＰＮ２
（４）  ＬＰＮ３
（５）ＬＰＮ１  ＋  ＬＰＮ２  （ジョイント送信（Joint Transmission））
（６）マクロ＋  ＬＰＮ３  （ジョイント送信）
【００４８】
位置推定のためにＣＳＩ−ＲＳの送信をスケジューリングし、ＰＤＳＣＨの送信ポイントを見つけるためのいくつかの可能性がある。
【００４９】
いくつかの実装においては、すべての候補が、異なる別々の時期にスケジューリングされる。言い換えると、ジョイント送信の候補（５及び６）も、スケジューリングされる。
【００５０】
いくつかの実装においては、単一のノードのみが、ＣＳＩ−ＲＳを送信するためにスケジューリングされる。言い換えると、ジョイント送信（上で列挙されたうちの５及び６）は、使用されない。
【００５１】
ジョイント送信の候補を使用し、スケジューリングすることは、ネットワークがＵＥにおいて受信されるダウンリンクの送信の品質に関する明示的なレポートを得ることができる可能性があり、したがって、ジョイント送信を用いるＰＤＳＣＨに関する決定を行うことができる可能性があるという利点を有する。しかし、フィードバックのこの増加した粒度（granularity）は、より多くの候補送信ポイント（例えば、上の一覧では四つではなく六つ）が位置推定のためにスケジューリングされる必要があるという潜在的な欠点を有する。（位置推定のためのより多くのノードが、利用可能なＣＳＩ−ＲＳサブフレームに詰め込まれる必要があるので）これが、同じノードに関する二つの連続するＣＱＩのレポートの間の更新時間を遅らせるか、又はリンクの適合のために利用可能なＣＳＩ−ＲＳサブフレームが、より少なくなる。
【００５２】
ジョイント送信の候補が使用されない実装においては、ネットワークが、受信されたＣＱＩのレポートから、ジョイント送信がダウンリンクの送信のために使用されたかどうかを推定する必要がある可能性がある。例えば、いくつかの実装においては、ネットワークが、ＬＰＮ１から送信されたＣＳＩ−ＲＳに関する所与のＵＥ  １０６からのＣＱＩ１とＬＰＮ２に関する同じＵＥからのＣＱＩ２とを平均してもよい。その他の実装においては、ＣＱＩ１とＣＱＩ２とが互いに比較されてもよい。ＣＱＩ１とＣＱＩ２とがほぼ同じである場合、ＬＰＮ１及びＬＰＮ２からのジョイント送信が実行された可能性がある。
【００５３】
いくつかの実装においては、ジョイント送信の候補を使用するか否かは、実行時の運用上の決定であってもよい。この決定は、いくつのノードが存在するか、及びいくつのＵＥがサービスを提供されているかに依存してもよい。例えば、サービスを提供されているＵＥの数が閾値未満である場合、例えば、ただ一つだけＵＥが存在する単純な場合、リンクの適合のためにより多くのＣＳＩ−ＲＳの送信を使用することは重要ではない可能性があり、したがって、より多くの送信リソースが位置推定に割り当てられ得る。
【００５４】
図４は、さまざまな送信ポイントの構成によるＣＳＩ−ＲＳの送信に関するあり得るスケジュール４００を示す。列４０２は、四つの行を列挙する。第１の行４０４は、ＬＴＥで使用されるＣＳＩ−ＲＳシーケンスに基づくＣＳＩ−ＲＳサブフレームを列挙する。行４０６は、「方法２」を使用した対応するＣＳＩ−ＲＳの送信スケジュールを列挙し、「方法２」とは、個々のノードだけを送信ポイントとして使用することを指す。行４０８は、以下でさらに説明される「方法１ａ」を使用したあり得るＣＳＩ−ＲＳの送信機会の割り当てを列挙する。行４１０は、以下でさらに説明される「方法１ｂ」を使用したＣＳＩ−ＲＳの割り当てを列挙する。ジョイント送信の候補を使用すること又は使用しないこと、つまり、アンテナポートが地理的に異なる場所にある送信ポイントの構成の間のあり得るトレードオフが、図４を参照して説明される。ラベル（Ｍ、ＬＰＮ１、ＬＰＮ２など）が付されたフィールドは、位置推定のために使用されるＣＳＩ−ＲＳサブフレームを示し、色つきのフィールド４１４は、リンクの適合のためのＣＳＩ−ＲＳをスケジューリングするために利用可能なサブフレームである。
【００５５】
行４０６には、方法２が示されている。サブフレーム１、４、７、１０、１３、１６、１９は、応答が位置推定のために使用されるＣＳＩ−ＲＳを送信するために使用される。この方法は、短い位置リフレッシュ時間を有し、ネットワークが任意の所与のノードに関する新しいＣＱＩのレポートを受信するまでに１２個のＣＳＩ−ＲＳサブフレーム（期間４１４）かかることが見て取れる。
【００５６】
方法１は、二つの異なるやり方で行われる。行４０８に対応する方法１ａにおいては、ＣＳＩ−ＲＳの割り当てが、方法２と同じリフレッシュ時間を持つように行われる。したがって、所与のノードに関する二つの連続する位置推定のレポートの間に１９フレームのより長い期間（４１２）を要する。しかし、リンクの適合のために利用可能なサブフレームの数は、方法２と同じである。方法１ｂにおいては、リフレッシュレートが同じに保たれる、つまり、二つの連続する位置推定のレポートが、方法２と同じ期間（４１４）で任意の所与のノードから得られる。しかし、より少ないサブフレームが、リンクの適合のためのＣＳＩ−ＲＳをスケジューリングするために残される。
【００５７】
いくつかの実装において、ＣＳＩ−ＲＳの送信ノードをスケジューリングするための上記方法のうちの一つは、静的に実現される可能性がある。言い換えると、上で検討された方法は、リンクの適合のためのスケジューリングが位置推定の結果に応じて適応的であることができるという特徴をもたらす。これは、おそらく、一つのマクロと、適度な数（例えば、五つ以下）のＬＰＮとを含むＨｅｔＮｅｔにおいて有用な手法である。
【００５８】
しかし、ＬＰＮの数が増える場合、より少ないノードを使用し、したがって、より少ない数のＣＳＩ−ＲＳサブフレームが位置推定タスクに割り振られることを必要とする方法２でさえも、その限界に達する可能性があり、リンクの適合のために残される空きサブフレームが少なくなり過ぎる可能性がある。
【００５９】
図５を参照して、代替的な適応的ＣＳＩ−ＲＳ割り当て方法が説明される。この方法は、位置推定のためのＣＳＩ−ＲＳの送信ノードに関してさらに柔軟なスケジューリングを使用する。図５に示されるＨｅｔＮｅｔ構成５００は、カバレッジエリア１１０内の単一のマクロ基地局１０２並びに五つのＬＰＮ、ＬＰＮ１  １０４ａ、ＬＰＮ２  １０４ｂ、ＬＰＮ３  １０４ｃ、ＬＰＮ４  １０４ｄ、及びＬＰＮ５  １０４ｅからなる。概して、ＬＰＮは、重なり合うカバレッジエリア５０８ａ、５０８ｂ、５０８ｃ、５０８ｄ、及び５０８ｅをそれぞれ有する可能性がある。しかし、単に説明を簡単にするために、これらのカバレッジエリアは、図５においては、重なり合わないように描かれている。
【００６０】
図５に示されている場合では、ＵＥ  １０６が、ＨｅｔＮｅｔ  ５００内をあちこち移動している。ｔ＝ｔ１において、ＵＥ  １０６は、ＬＰＮ１  １０４Ａ及びＬＰＮ２  １０４Ｂの近くにある。いくつかの実施形態において、ネットワークは、（例えば、その他のＵＥからの前の位置推定のフィードバックに基づく）さまざまなＬＰＮのカバレッジエリアの地形図（topological map）を保有してもよい。したがって、ネットワークは、ＵＥ１  １０６がＬＰＮ４  １０４ｄ及びＬＰＮ５  １０４ｅからの信号が届かない位置にあるという知識を有し得る。したがって、ネットワークは、ＬＰＮ４及びＬＰＮ５からＵＥ  １０６への参照信号の送信がどうしてもＵＥによって受信されないので、時間ｔ１においてそれらの送信をスケジューリングすることを控えてもよい。さらに、ネットワークは、ＵＥ  １０６に関する位置推定の最近の履歴から、ＵＥ  １０６がＬＰＮ３  １０４ｃのカバレッジエリアの方向に移動していると推定することができる。したがって、ｔ１において、ネットワークは、ＬＰＮ１と、ＬＰＮ２と、任意でＬＰＮ３とに関するＣＳＩ−ＲＳをスケジューリングしてもよい。ｔ２において、ネットワークは、ＬＰＮ１、ＬＰＮ２、及びＬＰＮ３からのＣＳＩ−ＲＳの送信をスケジューリングしてもよい。ＵＥ  １０６がさらに移動しているとき、例えば、ｔ＝ｔ３において、ネットワークは、ＬＰＮ２、ＬＰＮ３、及びＬＰＮ４をスケジューリングしており、以下同様である。いくつかの実施形態においては、すべてのあり得る送信ポイントの候補のサブセットが、位置推定のためにスケジューリングされてもよい。
【００６１】
いくつかの実施形態においては、複数のＵＥ  １０６がＨｅｔＮｅｔ内に存在するとき、以下の技術が使用され得る。Ｎが、セルにおけるＰＤＳＣＨの送信のためのすべての利用可能な候補の送信ポイントの構成（すなわち、すべてのノード、及びジョイント送信のためのノードのあり得る組み合わせ）の集合であるものとする。そのとき、ＨｅｔＮｅｔ内にｐ個のＵＥが存在するとき、そのＵＥの現在位置に基づいて、各ＵＥは、Ｎのサブセットである、つまり、ＬＵＥｉ⊆ＮであるそのＵＥ独自の近傍リスト（neighbor list）  ＬＵＥｉ，  ｉ  ＝  １，  ．．．  ｐに関連付けられる可能性があり、Ｎは、ＨｅｔＮｅｔに関してあり得る送信ポイントの構成の総数を表す整数である。
【数１】
2014138424.tif 000003
である限り、いくつかの送信ポイントからの参照信号の送信を選択的に控える方法は、静的なＣＳＩ−ＲＳノードのスケジューリングよりも少ないリソースを使用する。
【００６２】
図６は、上述の異なるスケジューリング方式が、リンクの適合に関する更新レートを高めるために異なるノードをまとめてグループ化することによってさらにどのように最適化され得るのかを示すスケジュール６００を示す。
【００６３】
図３に示されたＨｅｔＮｅｔ構成３００を再び参照すると、ＵＥ１がカバレッジエリア１１０内にあり、マクロ基地局１０２によってのみサービスを提供されていることが見て取れる。ＵＥ２は、ＬＰＮ１及びＬＰＮ２によって同時にサービスを提供されるカバレッジエリア３１４内にあり、ＵＥ３は、ＬＰＮ３によってのみサービスを提供されるカバレッジエリア３１８内にある。これらのカバレッジエリアのうち、カバレッジエリア３１４及び３１８は、重なり合っていない。表１は、リンクの適合のために使用され得る三つのＣＳＩ−ＲＳの送信ポイントの構成を記載する。
【表１】
2014138424.tif 000004
【００６４】
上述の方法１ｂにおいて、それぞれの送信ポイントの構成は、その構成独自のＣＳＩ−ＲＳ送信サブフレームを与えられた。三つの送信ポイントの構成のそれぞれに、それらの構成独自のＣＳＩ−ＲＳサブフレームを割く代わりに、共通のカバレッジエリアを持たないノードが組み合わされ、異なるＵＥに関するリンクの適合を目的として同じＣＳＩ−ＲＳを同時に送信することができる。
【００６５】
ＬＰＮ１及びＬＰＮ２はＬＰＮ３と重なり合わないので、送信ポイントの構成（ＬＰＮ１、ＬＰＮ２）及びＬＰＮ３からのリンクの適合のためのＣＳＩ−ＲＳの送信が、組み合わされ得る。ＵＥ２における信号の受信は、ＬＰＮ３からの送信の干渉を受けない。同様に、ＵＥ３における信号の受信は、ＬＰＮ１及びＬＰＮ２からの送信の干渉を受けない。したがって、ＵＥ２とＵＥ３との両方は、それらのＣＱＩを同時に報告することができる。したがって、重なり合わない送信ポイントの構成からのＣＳＩ−ＲＳの同時送信は、そうでなければ異なる送信ポイントの構成に個々に割り当てられていたであろうリンクの適合のためのＣＳＩ−ＲＳサブフレームを利用できるようにする。一つの有利な態様において、同時送信は、ＵＥによるレポートの頻度を増やすことを可能にする。
【００６６】
行６０２は、番号を振られたＣＳＩ−ＲＳサブフレームにおける送信のスケジュールを示し、ＣＳＩ−ＲＳ参照信号が図４を参照して説明された方法１ｂにしたがって送信される送信ポイントの構成が、選択されている。したがって、一つおきのＣＳＩ−ＲＳサブフレームが、リンクの適合のために利用可能である。全部で、必要なリンクの適合のために二つの別々の送信、（ＵＥ２及びＵＥ３のリンクの適合のための）ＬＰＮ１、ＬＰＮ２、及びＬＰＮ３に関する組み合わされた送信と、（ＵＥ１のリンクの適合のための）マクロからの一つの送信とが存在する。
【００６７】
行６０４を参照すると、位置推定のためのＣＳＩ−ＲＳサブフレームにおいて、すべてのＵＥが、ＣＱＩのレポートを送信するようにネットワークによって命令される。これは、ＣＳＩ−ＲＳサブフレーム１、３、５、７、９、及び１１において行われる。
【００６８】
行６０６を参照すると、ＭがＣＳＩ−ＲＳを送信したときにはいつも、つまり、サブフレーム１、４、８、１１において、ＵＥ１のレポートが、リンクの適合のために使用され得る。サブフレーム１１においては、ＣＳＩ−ＲＳが、Ｍ及びＬＰＮ３から一緒に送信され、その送信は、すべてのＵＥの位置推定を対象としているが、ＵＥ１はＬＰＮ３によって妨害されないので、ネットワークは、ＵＥ１のＣＱＩのレポートをリンクの適合のために使用することができる。
【００６９】
行６０８を参照すると、ＬＰＮ１及びＬＰＮ２が同時に送信されたときにはいつも、つまり、サブフレーム２、６、７、１０、１２において、ＵＥ２は、リンクの適合のためにＣＱＩを報告する。
【００７０】
行６１０を参照すると、ＬＰＮ３が単独であるか又はＬＰＮ１及びＬＰＮ２と一緒にかのどちらかでＣＳＩ−ＲＳを送信したときにはいつも、つまり、サブフレーム２、６、９、１０、１２において、ＵＥ３は、リンクの適合のためにＣＱＩを報告する。
【００７１】
図７は、マクロセル基地局及びいくつかのＬＰＮを含む異種無線ネットワークにおいて無線デバイスへの信号送信のためのアンテナ構成を選択するプロセス７００の流れ図である。
【００７２】
７０２において、無線デバイスの位置が、推定される。いくつかの実装において、位置推定は、無線デバイスから受信された情報を使用して実行され得る。前記情報は、例えば、無線デバイスからの全地球測位システム（ＧＰＳ）の測定値を含んでもよい。いくつかの実装において、位置推定は、無線デバイスに参照信号（例えば、ＬＴＥのためのＣＳＩ−ＲＳ）を送信し、無線デバイスからフィードバックレポートを受信することによって行われる。フィードバックレポートは、参照信号に関連付けられており、例えば、ＬＴＥネットワークにおけるＣＳＩ−ＲＳに関する上述のＣＱＩのレポートである。上述のように、位置推定から得られた結果は、参照信号の送信のスケジュールを決定するために使用される。次いで、スケジュールが、決定されたアンテナ構成を使用して参照信号の将来の送信を実行するために使用される。図１から６に関連して既に説明されたように、いくつかの構成においては、二つの異なる期間（例えば、ＬＴＥサブフレーム）において無線デバイスに送信される参照信号は、マクロセル基地局及びＬＰＮから選択された二つの異なるノードからのものであってもよい。さらに、ダウンリンクの信号送信のために使用されるアンテナ構成は、ＬＰＮのうちの一つの送信アンテナを使用し、さらに、マクロセル基地局のアンテナを含んでもよい。
【００７３】
７０４において、無線デバイスの推定された位置に基づいて、無線デバイスへのダウンリンクの信号送信のためのアンテナの構成が決定される。アンテナ構成は、マクロセル基地局及び複数のＬＰＮの１以上の送信ポイントを指定する。上述のように、アンテナ構成は、ダウンリンクの信号を送信するために、単一のノードを指定してもよいし、又はノードの組み合わせを指定してもよい。
【００７４】
方法７００は、無線デバイスへのダウンリンクの信号送信のための送信スケジュールを生成することをさらに含んでもよい。送信スケジュールは、参照信号の送信を、位置推定を実行するための第１のグループと、リンクの適合を実行するための第２のグループとにグループ分けすることによって生成されてもよい。いくつかの実装においては、例えば、図４及び６に関連して既に検討されたように、位置推定の参照信号の送信に割り当てられる繰り返しレートが、リンクの適合のための参照信号の送信の繰り返しレート未満である。
【００７５】
図８は、無線通信装置８００のブロック図である。モジュール８０２は、無線デバイスの位置を推定するためのものである。モジュール８０４は、無線デバイスの推定された位置に基づいて、無線デバイスへのダウンリンクの信号送信のためのアンテナ構成を決定するためのものであり、アンテナ構成は、マクロセル基地局及び複数のＬＰＮの１以上の送信ポイントを指定する。さまざまな実装において、装置８００並びにモジュール８０２及び８０４は、本明細書において開示された技術のうちの１以上の技術を実装するようにさらに構成される。
【００７６】
図１０は、異種無線ネットワークにおいてダウンリンクの参照信号の送信をスケジューリングするためのプロセス１０００の流れ図である。いくつかの実装において、参照信号は、上記で検討されているＣＳＩ−ＲＳ信号を含む。
【００７７】
１００２において、ダウンリンクの参照信号の送信の第１のスケジュールは、第１のスケジュールの各エントリが第１の送信タイムスロットと、ダウンリンクの参照信号を送信する第１の送信ポイントのグループと、第１の測定レポートを生成する第１のＵＥとを特定するように、生成される。例えば、第１の測定レポートは、第１のＵＥに関する位置情報に関連付けられてもよい（例えば、受信信号の強度の情報を含んでもよい）。スケジュールは、ネットワーク側で、例えば、マクロ基地局によって生成され、使用されてもよい。ＨｅｔＮｅｔ構成においては、ＬＰＮがマクロ基地局によって完全に制御されるので、スケジュールは、マクロ基地局によって外部に知らされる必要がない。いくつかの実装において、マクロ基地局は、マクロセル内のさまざまなＬＰＮにスケジュールを明示的に送信してもよい。いくつかの実装において、マクロ基地局は、どのその他の送信ポイントが参照信号を同時に送信するように同様に制御されているかについてさらに詳細に知らせることなく、単純にＬＰＮに対して送信時間を特定してもよい。
【００７８】
１００４において、ダウンリンクの参照信号の送信の第２のスケジュールが、第２のスケジュールの各エントリが、第２の送信タイムスロットと、ダウンリンクの参照信号を送信する第２の送信ポイントのグループと、第２の測定レポートを生成する第２のＵＥとを特定するように、生成される。いくつかの実装において、第２の測定レポートは、上記で検討されたチャネル品質インジケータ（ＣＱＩ）のレポートを含む。スケジュールのエントリの使用は、１００２に関連して既に検討されている。
【００７９】
第１の及び第２のスケジュールは、第２のスケジュールに含まれる所与のタイムスロットが第１のスケジュールから除外されるように、送信タイムスロットを定義する。第１のスケジュールは、第１の繰り返しの頻度で所与のＵＥから第１の測定レポートを受信するように計画され、ここで、第１の繰り返し頻度は、第２の測定レポートが所与のＵＥから受信される第２の繰り返しの頻度よりも少ない。第２のスケジュールのエントリは、第２の送信ポイントのグループが第２のＵＥにユーザデータを送信するためにも使用されているときにのみ、第２の送信ポイントのグループから第２のＵＥへの参照信号の送信を特定する。
【００８０】
いくつかの実装において、上で検討された送信ポイントのグループは、ＵＥの位置情報に基づいて形成される。例えば、図１、３、及び５に関連して既に検討されたように、送信ポイントのグループは、それらのカバレッジエリア内にＵＥが存在する送信ポイントのみを含んでもよい。しかし、図５に関連して既に検討されたように、いくつかの実装においては、ＵＥがその送信ポイントのカバレッジエリア内に現在存在しないが、その送信ポイントのカバレッジエリアに近づきつつあると思われるときにさえも、判定されたＵＥの移動方向に基づいて、追加の送信ポイントが参照信号の送信のために使用されてもよい。したがって、いくつかの実装においては、送信ポイントのグループのうちの一つが、第１の送信ポイントと、第１の送信ポイントのカバレッジエリアと重なり合わないカバレッジエリアを有する第２の送信ポイントとを含む。
【００８１】
当業者は、ＵＥの位置を見つけ、ダウンリンクのデータ送信に最も適したノードを決定する技術が開示されたことを理解するであろう。さらに、ＵＥの位置に応じて、参照信号の送信リソースが、リンクの適合を目的として異なるノードに動的に割り振られる。いくつかの実装において、ノードの選択は、ＵＥが測定し、フィードバックを与えるダウンリンクの参照信号の助けを借りて行われる。
【００８２】
当業者は、開示された技術が複数の用途（例えば、位置推定及びリンクの適合）のために同じ参照信号を使用することによってＨｅｔＮｅｔの運用を最適化するのに有益であり、ネットワークが、ＵＥに対して完全に透過的であるようにして参照信号の送信のスケジューリングを管理し、ＵＥの位置情報を使用して無線ネットワークの帯域幅の可用性を向上させることができることをさらに理解するであろう。
【００８３】
本明細書において説明された開示された及びその他の実施形態、モジュール、及び機能上の動作（例えば、位置推定器、アンテナ構成器、第１のスケジューラ、第２のスケジューラ、参照信号送信機、フィードバックレポート受信機、スケジューラ、送信ポイントグループ生成器、データ送信時間割り振り器、参照信号送信時間割り振り器、ユーザデータ送信機など）は、本明細書において開示された構造及びそれらの構造の構造的等価物を含むデジタル電子回路、又はコンピュータソフトウェア、ファームウェア、若しくはハードウェア、或いはそれらのうちの１以上の組み合わせで実装され得る。開示された及びその他の実施形態は、１以上のコンピュータプログラム製品、すなわち、データ処理装置による実行のための、又はデータ処理装置の操作を制御するための、コンピュータ可読媒体上に符号化されたコンピュータプログラム命令の１以上のモジュールとして実装され得る。コンピュータ可読媒体は、機械可読ストレージデバイス、機械可読ストレージ基板、メモリデバイス、機械可読伝播信号を生み出す組成物（composition of matter）、又はそれらのうちの１以上の組み合わせであってもよい。用語「データ処理装置」は、例として、プログラム可能なプロセッサ、コンピュータ、又は複数のプロセッサ若しくはコンピュータを含む、データを処理するためのすべての装置、デバイス、及び機械を包含する。装置は、ハードウェアに加えて、ここで検討されているコンピュータプログラムのための実行環境を生み出すコード、例えば、プロセッサのファームウェア、プロトコルスタック、データベース管理システム、オペレーティングシステム、又はそれらのうちの１以上の組み合わせを構成するコードを含み得る。伝播信号は、好適な受信機装置に送信するために情報を符号化するために生成される人為的に生成される信号、例えば、機械によって生成される電気的、光学的、又は電磁的信号である。
【００８４】
コンピュータプログラム（プログラム、ソフトウェア、ソフトウェアアプリケーション、スクリプト、又はコードとしても知られる）は、コンパイラ型言語若しくはインタープリタ型言語を含む任意の形態のプログラミング言語で記述可能であり、独立型プログラムとしての形態、又はモジュール、コンポーネント、サブルーチン、若しくはコンピューティング環境での使用に適したその他の単位としての形態を含む任意の形態で配置され得る。コンピュータプログラムは、必ずしもファイルシステム内のファイルに対応しない。プログラムは、その他のプログラム若しくはデータを保持するファイルの一部（例えば、マークアップ言語の文書に記憶された１以上のスクリプト）、ここで検討されているプログラムに専用の単一のファイル、又は複数の組織されたファイル（例えば、１以上のモジュール、サブプログラム、若しくはコードの一部を記憶するファイル）に記憶され得る。コンピュータプログラムは、一つのコンピュータ上で、又は一つの場所に置かれるか、若しくは複数の場所に分散され、通信ネットワークによって相互に接続されている複数のコンピュータ上で実行されるように配置され得る。
【００８５】
本明細書に記載のプロセス及び論理フローは、入力データに対して操作を行い、出力を生成することによって機能を実行する１以上のコンピュータプログラムを１以上のプログラム可能なプロセッサが実行することによって実行され得る。また、プロセス及び論理フローは、専用の論理回路、例えば、ＦＰＧＡ（フィールドプログラマブルゲートアレイ）又はＡＳＩＣ（特定用途向け集積回路）によって実行されてもよく、さらに、装置は、それらの専用の論理回路として実装されてもよい。
【００８６】
コンピュータプログラムの実行に適したプロセッサは、例として、汎用マイクロプロセッサと専用マイクロプロセッサとの両方、及び任意の種類のデジタルコンピュータの任意の１以上のプロセッサを含む。概して、プロセッサは、読み出し専用メモリ、又はランダムアクセスメモリ、又はそれら両方から命令及びデータを受け取る。コンピュータの必須の要素は、命令を実行するためのプロセッサ、並びに命令及びデータを記憶するための１以上のメモリデバイスである。また、概して、コンピュータは、データを記憶するための１以上の大容量ストレージデバイス、例えば、磁気ディスク、光磁気ディスク、若しくは光ディスクを含むか、又はそれらの大容量ストレージデバイスからデータを受信するか、若しくはそれらの大容量ストレージデバイスにデータを転送するか、若しくはその両方を行うためにそれらの大容量ストレージデバイスに動作可能なように結合される。しかし、コンピュータは、そのようなデバイスを備えていなくてもよい。コンピュータプログラム命令及びデータを記憶するのに適したコンピュータ可読媒体は、例として、半導体メモリデバイス、例えば、ＥＰＲＯＭ、ＥＥＰＲＯＭ、及びフラッシュメモリデバイス、磁気ディスク、例えば、内蔵ハードディスク又はリムーバブルディスク、光磁気ディスク、並びにＣＤ−ＲＯＭディスク及びＤＶＤ−ＲＯＭディスクを含む、すべての形態の不揮発性メモリ、媒体、及びメモリデバイスを含む。プロセッサ及びメモリは、専用の論理回路によって補完されるか、又は専用の論理回路に組み込まれてもよい。
【００８７】
本明細書は多くの詳細を含むが、これらは、特許請求される発明の範囲又は特許請求され得るものの範囲に対する限定と見なされるべきでなく、むしろ、特定の実施形態に固有の特徴の説明と見なされるべきである。別々の実施形態に関連して本明細書に記載されている特定の特徴が、単一の実施形態で組み合わせて実装されてもよい。反対に、単一の実施形態に関連して説明されているさまざまな特徴が、複数の実施形態に別々に、又は任意の適切な部分的組み合わせで実装されてもよい。さらに、特徴は、特定の組み合わせで動作するように上で説明されている場合があり、最初にそのように主張されてさえいる場合もあり得るが、主張された組み合わせの１以上の特徴は、場合によってはその組み合わせから削除されてもよく、主張された組み合わせは、部分的組み合わせ、又は部分的組み合わせの変形を対象としてもよい。同様に、動作が図中に特定の順序で示されているが、これは、そのような動作が、示された特定の順序で、若しくは逐次的順序で実行されること、又は所望の結果を達成するために、示されたすべての動作が実行されることを必要とすると理解されるべきでない。
【００８８】
ほんのわずかな例及び実装が、開示されている。説明された例及び実装並びにその他の実装に対する変更、修正、及び拡張が、開示されている内容に基づいて行われ得る。
【符号の説明】
【００８９】
１００  ＨｅｔＮｅｔ構成
１０２  マクロ基地局
１０４ａ  ＬＰＮ
１０４ｂ  ＬＰＮ
１０４ｃ  ＬＰＮ
１０４ｄ  ＬＰＮ
１０４ｅ  ＬＰＮ
１０６  ＵＥ
１０８  領域、カバレッジエリア
１１０  領域
１１２  領域、カバレッジエリア
１１４  送信
１１６  送信
１１８  送信
２００  スケジューリングテーブル
２０２  行
２０４  行
２０６  行
２０８  行
２１０  列
２１２  四角
３００  ＨｅｔＮｅｔ構成
３０８  エリア
３１２  エリア
３１４  重複エリア
３１８  エリア
３１８  重複エリア
４００  スケジュール
４０２  列
４０４  行
４０６  行
４０８  行
４１０  行
４１２  期間
４１４  フィールド、期間
５００  ＨｅｔＮｅｔ構成
５０８ａ  カバレッジエリア
５０８ｂ  カバレッジエリア
５０８ｃ  カバレッジエリア
５０８ｄ  カバレッジエリア
５０８ｅ  カバレッジエリア
６００  スケジュール
６０２  行
６０４  行
６０６  行
６０８  行
６１０  行
７００  プロセス
８００  無線通信装置
８０２  モジュール
８０４  モジュール
１０００  プロセス
【図１】
2014138424.tif 000005
【図２】
2014138424.tif 000006
【図３】
2014138424.tif 000007
【図４】
2014138424.tif 000008
【図５】
2014138424.tif 000009
【図６】
2014138424.tif 000010
【図７】
2014138424.tif 000011
【図８】
2014138424.tif 000012
【図９】
2014138424.tif 000013
【図１０】
2014138424.tif 000014
【外国語明細書】
2014138424000001.pdf